(57)【要約】【課題】ＣＡＴＶ放送経由の緊急放送を優先受信し、ＣＡＴＶ放送の伝送経路に障害が発生したときにコミュニティＦＭ放送経由の緊急放送に切替えて受信する防災ラジオを提供すること。【解決手段】ＣＡＴＶ放送およびＣＡＴＶ放送経由の緊急放送を受信する第1のチューナー１１と、コミュニティＦＭ放送およびコミュニティＦＭ放送経由の緊急放送を受信する第２のチューナー１２と、前記第１チューナーの出力信号の有無を検出する信号検出手段１３と、前記信号検出手段の出力に応じて前記第１のチューナーの受信信号を第１順位とし前記第２のチューナーの受信信号を第２順位として選択的に取り出す切替回路１５と、前記第１および第２のチューナーの受信信号に含まれる緊急放送信号を検出して制御信号を形成する制御信号形成回路１４と、前記切替回路の出力が与えられて音声出力する増幅回路であって、前記制御信号が与えられると大出力で音声出力する制御機能付き音声出力手段１６とをそなえた防災ラジオ。【選択図】図２
2014096770.tif 000002
【特許請求の範囲】
【請求項１】
ＣＡＴＶ放送およびＣＡＴＶ放送経由の緊急放送を受信する第1のチューナーと、
コミュニティＦＭ放送およびコミュニティＦＭ放送経由の緊急放送を受信する第２のチューナーと、
前記第１チューナーの出力信号の有無を検出する信号検出手段と、
前記信号検出手段の出力に応じて前記第１のチューナーの受信信号を第１順位とし前記第２のチューナーの受信信号を第２順位として選択的に取り出す切替回路と、
前記第１および第２のチューナーの受信信号に含まれる緊急放送信号を検出して制御信号を形成する制御信号形成回路と、
前記切替回路の出力が与えられて音声出力する増幅回路であって、前記制御信号が与えられると大出力で音声出力する制御機能付き音声出力手段と
をそなえた防災ラジオ。
【請求項２】
請求項１記載の防災ラジオにおいて、
前記制御信号形成回路は、前記緊急放送信号としてのＤＴＭＦ信号に基づき前記制御信号を形成することを特徴とする防災ラジオ。
【発明の詳細な説明】
【技術分野】
【０００１】
本発明は、防災放送を支障なく受信するラジオに係り、とくにＣＡＴＶ放送を介した有線緊急放送を優先受信し、予備としてコミュニティＦＭ放送を介した無線緊急放送を受信する防災ラジオに関する。
【背景技術】
【０００２】
自然災害をはじめとする緊急事態の発生時に、例えば自治体単位で、防災用の緊急放送を行う設備が備えられている。この緊急放送システムは、従来はアナログ方式であって十分に普及が進んだ状況にあるが、今後はデジタル化される方向にある。ただし、高価であるため普及が進まないという状況である。そこで、現況では、既に普及しているアナログ方式を前提に防災行政無線システムを展開している。
【０００３】
従来、この種の防災技術としては、例えば緊急警報を受信したとき、ＡＭ／ＦＭ放送の受信時であっても緊急放送に切替受信する受信機がある（特許文献１参照）。
【０００４】
また、一般のＡＭ／ＦＭ放送と防災無線放送とを共用する形態のものがある（特許文献２）。これは、一般のＡＭ／ＦＭ放送受信機に緊急放送受信機能を付加したものである。
【先行技術文献】
【特許文献】
【０００５】
【特許文献１】特開2008-160789号公報
【特許文献２】特開2010-263315号公報
【発明の概要】
【発明が解決しようとする課題】
【０００６】
一方、防災面から近年着目されている放送として、自治体の一部地域をコミュニティとして運営しているコミュニティＦＭ放送がある。防災行政無線放送よりも大出力であって、より広い伝播範囲を持つことが理由である。
【０００７】
そこで、従来のＡＭ／ＦＭ放送に流す緊急放送に加えて、コミュニティＦＭ放送による緊急放送が検討されている。
【０００８】
さらに、地域に密着した放送媒体として、有線放送であるが、ＣＡＴＶ放送がある。このＣＡＴＶ放送も、ケーブルが切断される等で伝送経路が遮断される可能性はあるが、サービス地域がより広く緊急放送媒体として有力なものである。
【０００９】
本発明は上述の点を考慮してなされたもので、ＣＡＴＶ放送経由の緊急放送を優先受信し、ＣＡＴＶ放送の伝送経路に障害が発生したときにコミュニティＦＭ放送経由の緊急放送に切替えて受信する防災ラジオを提供することを目的とする。
【課題を解決するための手段】
【００１０】
上記目的達成のため、本発明では、
ＣＡＴＶ放送およびＣＡＴＶ放送経由の緊急放送を受信する第1のチューナーと、
コミュニティＦＭ放送およびコミュニティＦＭ放送経由の緊急放送を受信する第２のチューナーと、
前記第１チューナーの出力信号の有無を検出する信号検出手段と、
前記信号検出手段の出力に応じて前記第１のチューナーの受信信号を第１順位とし前記第２のチューナーの受信信号を第２順位として選択的に取り出す切替回路と、
前記第１および第２のチューナーの受信信号に含まれる緊急放送信号を検出して制御信号を形成する制御信号形成回路と、
前記切替回路の出力が与えられて音声出力する増幅回路であって、前記制御信号が与えられると大出力で音声出力する制御機能付き音声出力手段と
をそなえた防災ラジオ、
を提供する。
【発明の効果】
【００１１】
本発明は上述のように、有線放送であるＣＡＴＶ信号を優先受信し、有線放送網が切断されたとき無線放送であるコミュニティＦＭ放送によるバックアップ受信を自動的に行うようにしたため、緊急放送を広汎に漏れなく行き渡らせることができる。
【図面の簡単な説明】
【００１２】
【図１】本発明の放送システムを示す説明図。
【図２】本発明の一実施例を示すブロック図。
【図３】図２に示した実施例における緊急放送受信動作を示すタイミングチャート。
【図４】本発明の一実施例の外観形状を示す図である。
【発明を実施するための最良の形態】
【００１３】
以下、添付図面を参照して本発明の実施の形態を説明する。
【実施例１】
【００１４】
図１は、本発明に係る緊急放送システムの全体構成を示す概念図である。この図では、自治体たとえば市役所の防災無線放送装置１からの放送信号につき、その伝播経路を示している。
【００１５】
防災無線放送装置１の出力は、ＮＴＴ回線等の（有線）公衆回線Ｌ１を介してコミュニティＦＭ局２に与えられ、さらに公衆回線Ｌ１を介してＣＡＴＶ局３に送られる一方、送信アンテナからＦＭ放送電波として送信される。
【００１６】
ＣＡＴＶ局３は、放送信号を、ケーブル回線Ｌ２を介して住宅Ａおよび屋外拡声子局４に送る。住宅Ａでは、緊急放送を防災ラジオ受信機１０ａで受信し、屋外拡声子局４では収納ボックス１００内に収納された防災ラジオ（図示せず）により受信する。
【００１７】
ここで、防災ラジオ受信機とは、通常のＡＭ／ＦＭ放送に加えて緊急放送を受信することができるラジオ受信機をいい、電源オフ時でも緊急放送の開始により自動的に受信開始する機能を有するものもある。
【００１８】
一方、コミュニティＦＭ局２から電波として送信された緊急放送は、本発明に係る防災ラジオであって屋外拡声子局４の収納ボックス１００内に収納された防災ラジオにより受信されるとともに、住宅Ｂでは防災ラジオ受信機１０ｂにより受信される。
【００１９】
ここで、防災ラジオ受信機１０ｂは、有線放送でなく無線放送を受信するとしている点を除き、防災ラジオ受信機１０ａと同様の放送信号を受信する機能を有するものである。また、放送信号は、ケーブル回線Ｌ２経由のものと電波によるものとが同一周波数であることもあるし、異周波数であることもある。
【００２０】
図２は、図１に示した収納ボックス１００（鎖線図示）内に収納されているとした、本発明に係る防災ラジオの内部構成を示したものである。
【００２１】
この防災ラジオは、２つのＦ型コネクタによる入力端子ＩＮを有する。入力端子ＩＮの一方は、ケーブル回線経由のＣＡＴＶ放送を受信するものであり、もう一方は、電波によるコミュニティＦＭ放送を受信するものである。そして、ケーブル回線経由の放送信号は第１チューナー１１に与えられ、コミュニティＦＭ放送の信号は第２チューナー１２に与えられる。
【００２２】
第１チューナー１１の出力は、緊急放送受信信号を検出するＲＦ信号検出回路１３に与えられるＲＦ信号と、ＤＴＭＦ（Dual Tone Multi-Frequency）信号を含む音声信号とがある。また、第２チューナー１２の出力は、音声信号およびＤＴＭＦ信号である。
【００２３】
このＤＴＭＦ信号はＤＴＭＦ信号検出回路１４に与えられ、このＤＴＭＦ信号検出回路１４は、制御機能付き増幅回路１６の増幅度を制御する制御信号を形成するとともに、必要に応じて他の機器に与えるべき緊急放送の有無を示す接点信号を形成して出力端子ＯＵＴ２から出力する。
【００２４】
第１チューナー１１がケーブル回線経由の放送信号を受信しているときは、ＲＦ信号検出回路１３が、切替回路１５を切り替えて第１チューナー１１の出力を制御機能付き増幅回路１６に与え、放送信号を受信していないときは第２チューナー１２の出力が制御機能付き増幅回路１６に与えられるように、切替回路１５を切り替える。
【００２５】
切替回路１５の出力は、制御機能付き増幅回路１６により増幅されて出力端子ＯＵＴ１から外付けのスピーカ１７に与えられて拡声放送される。
【００２６】
図３は、図２に示した防災ラジオの動作に関する各部信号を示すタイミングチャートである。このタイミングチャートを用いて、緊急放送があった際の防災ラジオ各部の応動の様子を説明する。
【００２７】
ここでは自治体として市役所を想定すると、市役所からの緊急放送がなされた場合、まず防災無線放送装置１から図３(ａ)に示す緊急放送信号が発せられる。
【００２８】
この緊急放送信号は、緊急放送そのものの前後に開始信号および停止信号が付加された一連の音声信号として構成されている。そして、緊急放送信号は緊急事態およびその対応を伝えるメッセージの音声信号であるが、開始信号および停止信号は２桁（「ピ、ポ」音声として出力される）とか５桁（「ピ、ポ、パ、ピ、ポ」音声として出力される）のＤＴＭＦ信号である。
【００２９】
この放送は、公衆回線Ｌ１を介してコミュニティＦＭ局２に伝えられＦＭ電波として放送されるとともに、さらに公衆回線Ｌ１を介してＣＡＴＶ局３に伝えられ、ケーブル回線Ｌ２により各住宅Ａおよび各屋外拡声子局４等に伝送される。
【００３０】
これにより、屋外拡声子局４の収納ボックス１００内に収納された防災ラジオにも有線で緊急放送信号が届き、防災ラジオは次のように作動する。
【００３１】
[ＣＡＴＶ放送経由の緊急放送]
時点ｔ１で緊急放送が開始されると（図３(ａ)）、防災ラジオのＣＡＴＶ側およびＦＭ側の両方の入力端子ＩＮに放送信号が与えられる。したがって、第１チューナー１１および第２チューナー１２が放送信号を受信する。
【００３２】
第１チューナー１１の出力を得たＲＦ信号検出回路１３は、切替回路１５を図示実線側のままに保持させる。また、第１チューナー１１および第チューナー１２の出力からＤＴＭＦ信号を検出したＤＴＭＦ信号検出回路１４は、制御機能付き増幅回路１６に制御信号を与えて増幅度を上げさせる。
【００３３】
このため、制御機能付き増幅回路１６は、第１チューナー１１から切替回路１５を経て得た放送信号をスピーカに与えて大音量の音声出力を生じる（図３(ｄ)）。
【００３４】
この放送は、時点ｔ２で停止信号が出るまで行われて終了する。停止信号が出ると、制御機能付き増幅回路１６は、増幅度を元のレベルに下げる。
【００３５】
[ケーブル回線の遮断]
次に、時点ｔ３でケーブル回線Ｌ２が切断事故等により遮断されたとする（図3(ｂ)，(ｃ)）。
【００３６】
図３(ｂ)は、このケーブル回線Ｌ２が遮断された状況を示している。このとき、防災ラジオでは、第１チューナー１１の出力に含まれるＲＦ信号が消失したことをＲＦ信号検出回路１３が検出して、切替回路１５を図示の実線側から破線側に切替わった状態（図３(ｃ)の「ＣＡＴＶ」から「ＣＦＭ」に切り替った状態）に変える。この結果、切替回路１５から制御機能付き増幅回路１６に、第１チューナーの出力に替わって第２チューナー１２の出力信号が与えられる。
【００３７】
制御機能付き増幅回路１６の出力は、スピーカ１７に与えられて音声として出力される。このとき、緊急放送は行われていないから、音声はコミュニティＦＭ局２が流す通常放送である。
【００３８】
[コミュニティＦＭ局経由の緊急放送]
次いで、時点ｔ４に至ると再び緊急放送が始まる。このとき、ケーブル回線Ｌ２が切断されているから、防災ラジオは、ＣＡＴＶ局３経由の緊急放送ではなくコミュニティＦＭ局２経由の緊急放送を行うことになる（図３(ｅ)，図３(ｆ)）。
【００３９】
そして、第２チューナー１２の出力を得たＤＴＭＦ信号検出回路１４は、検出したＤＴＭＦ信号を制御機能付き増幅回路１６に与えてその増幅度を上げさせる。この緊急放送は、時点ｔ５まで行われて終了する。
【００４０】
さらに、時点ｔ６に至り再び緊急放送が行われると、この時点でもケーブル回線Ｌ２は回復していない（図３(ｂ)，(ｃ)）から、コミュニティＦＭ局２経由の緊急放送が開始される（図３(ｅ)，図３(ｆ)）。
【００４１】
[ケーブル回線の回復]
このコミュニティＦＭ局２経由の緊急放送が行われている途中でケーブル回線Ｌ２が回復すると（図３(ｂ)，(ｃ)）、コミュニティＦＭ局２からＣＡＴＶ局３に経由が切替えられる。
【００４２】
すなわち、時点ｔ７でケーブル回線Ｌ２が復旧して接続状態を回復すると、第１チューナー１１からＲＦ信号検出回路１３にＲＦ信号が出力され、切替回路１５を図示実線側に切替える。
【００４３】
したがって、第1チューナー１１からの音声信号が制御機能付き増幅回路１６に与えられる。そして、時点ｔ８まで緊急放送が継続して停止信号が出ると緊急放送を終了する（図３(ａ)，(ｃ)）。停止信号が出ると、制御機能付き増幅回路１６は、増幅度を下げて元に戻す。
【００４４】
時点ｔ９になると次の緊急放送が始まるが、このときもケーブル回線Ｌ２が接続されているから、時点ｔ１におけると同様に、ＣＡＴＶ局３経由の緊急放送が行われる（図３(ｂ)，(ｃ)）。
【００４５】
[緊急放送中のケーブル切断]
時点ｔ１０になると、時点ｔ７における緊急放送中のケーブル回復とは逆に、緊急放送中にケーブル回線が切断される（図３(ｂ)，(ｃ)）。この結果、ＲＦ信号検出回路１３は第１チューナー１１からＲＦ信号が与えられないから、切替回路１５を図示実線位置から図示破線位置に切替える。これにより、切替回路１５は、第２チューナー１２の出力を制御機能付き増幅回路１６に与える（図３(ｅ)，(ｆ)）。
【００４６】
そして、時点ｔ１１で緊急放送が終了するまで、コミュニティＦＭ局２経由の緊急放送が行われる（図３(ｅ)，(ｆ)）。
【００４７】
以上のように、防災ラジオは、ＣＡＴＶ放送（ケーブル回線）およびコミュニティＦＭ放送がともに活きているときはＣＡＴＶを優先し、ＣＡＴＶ放送に障害が生じたときはコミュニティＦＭ放送経由で緊急放送を行う。
【００４８】
このため、ＣＡＴＶ放送による各戸毎のきめ細かな配信ができ、ＣＡＴＶ放送用のケーブル回線等に障害が生じてもコミュニティＦＭ放送により補完することができ、防災対策を向上することができる。
【００４９】
図４は、本発明に係る防災ラジオの一構成例を示す外観図である。この防災ラジオは、常時は収納ボックス１００内に収納されており、必要時に操作される。そして、常時、非常時を問わず操作の都合を考慮し、図示のように、各接続端子および操作要素が全て前面パネル上に配置されている。
【００５０】
このパネル面に配された要素は、左上に「ＣＡＴＶ」、「ＦＭ」の切替用スイッチがあり、「ＦＭ固定」と「自動切替」とを切り替える際に操作される。その下には、ＣＡＴＶおよびＦＭの２つの入力端子ＩＮ（Ｆ型接栓）が設けられている。
【００５１】
この入力端子ＩＮの右側には、ＣＡＴＶおよびＦＭの入力信号レベルが所定値以上であるとき点灯するランプが配されている。さらにその右側のパネル中央部には、手動で防災ラジオを作動させる際に操作する緊急起動スイッチがあり、その直ぐ右側には、スピーカを接続するためのモニター出力端子、および音声信号および接点信号の出力端子が並んでいる。
【００５２】
そして、パネルの右端には、上に「電源ＯＮ」と、電源をオフとする「リセット」との切替を行う電源スイッチが配され、下に、取付ねじで固定されたカバー付きのＤＣ１２Ｖ電源繋ぎ込み端子「＋、−」が中央に設けられている。
【符号の説明】
【００５３】
１  防災無線放送装置、２  コミュニティＦＭ局、３  ＣＡＴＶ局、
４  屋外拡声子局
１０  防災ラジオ受信機、１１  第１チューナー、１２  第２チューナー、
１３  ＲＦ信号検出回路、１４  ＤＴＭＦ信号検出回路、１５  切替回路、
１６  制御機能付き増幅回路、１７  スピーカ
１００  防災ラジオ収納ボックス、１０１  パネル、１０２  ボックス本体
Ａ，Ｂ  住宅、ＣＡＴＶ  ケーブルテレビジョン放送、
ＣＦＭ  コミュニティＦＭ放送、Ｌ１  公衆回線、Ｌ２  ケーブル回線
【図１】
2014096770.tif 000003
【図２】
2014096770.tif 000004
【図３】
2014096770.tif 000005
【図４】
2014096770.tif 000006